(57)【要約】【課題】冷媒配管を電磁誘導によって加熱する場合であっても周囲への磁界の漏れ出しを抑えることが可能な電磁誘導加熱ユニットおよび空気調和装置を提供する。【解決手段】ＳＵＳ管Ｆ２によって外表面が構成されている冷媒配管Ｆの加熱を行う電磁誘導加熱ユニット６であって、コイル６８と、遮蔽カバー７５とを備えている。コイル６８は、冷媒配管Ｆの近傍に配置されている。遮蔽カバー７５は、コイル６８の冷媒配管Ｆ側である内側とは反対側の外側に配置されており、磁性体を含んでいる。遮蔽カバー７５は、コイル６８の外側を８０％以上覆っている。【選択図】図６
2010071532.tif 000002
【特許請求の範囲】
【請求項１】
冷媒配管（Ｆ）および／または前記冷媒配管（Ｆ）中を流れる冷媒と熱的接触をする部材を加熱する電磁誘導加熱ユニット（６）であって、
前記冷媒配管（Ｆ）の近傍に配置されたコイル（６８）と、
前記コイル（６８）の前記冷媒配管（Ｆ）側である内側とは反対側の外側に配置されており、磁性体を含んでいる外部部材（７５、１７５）と、
を備え、
前記外部部材（７５、１７５）は、前記コイルの外側を８０％以上覆っている、
電磁誘導加熱ユニット（６）。
【請求項２】
前記コイル（６８）は、前記冷媒配管（Ｆ）の少なくとも一部の回りを取り巻いている、
請求項１に記載の電磁誘導加熱ユニット（６）。
【請求項３】
前記外部部材（７５）は、人間の手が前記コイル（６８）に触れることを遮る形状を有している、
請求項１または２に記載の電磁誘導加熱ユニット（６）。
【請求項４】
前記外部部材（７５）は、１つの部材によって構成されており、
前記外部部材（７５）の外縁同士の接触部分が無いように位置決めされている、
請求項１から３のいずれか１項に記載の電磁誘導加熱ユニット（６）。
【請求項５】
前記外部部材（１７５）は、第１外部部材（１７６）と第２外部部材（１７７）とを有しており、
前記第１外部部材（１７５）および前記第２外部部材（１７６）は、前記第１外部部材（１７５）の外縁と前記第２外部部材（１７６）の外縁との接触部分が無いように位置決めされている、
請求項１から３のいずれか１項に記載の電磁誘導加熱ユニット（１０６）。
【請求項６】
少なくとも前記コイル（６８）の外側であって前記外部部材（７５）の内側に配置された部分を有しており、磁性体を含んでいる磁性体部（７１、７２、７３、７４）をさらに備えた、
請求項１から５のいずれか１項に記載の電磁誘導加熱ユニット（６）。
【請求項７】
前記磁性体部（７１、７２、７３、７４）は、フェライトを含んでいる、
請求項６に記載の電磁誘導加熱ユニット（６）。
【請求項８】
前記冷媒配管（Ｆ）の延びる方向に対して垂直な面上において前記冷媒配管（Ｆ）を外側から見た場合に、前記磁性体部（７１、７２、７３、７４）は、少なくとも、前記外部部材（７５）が存在していない位置に配置されている、
請求項６または７に記載の電磁誘導加熱ユニット（６）。
【請求項９】
前記外部部材（７５）と、前記磁性体部（７１、７２、７３、７４）とは、前記冷媒配管（Ｆ）の延びる方向に対して垂直な面上において前記冷媒配管（Ｆ）を外側から見た場合に、互いに重なる位置に配置されている部分を有している、
請求項６から８のいずれか１項に記載の電磁誘導加熱ユニット（６）。
【請求項１０】
前記磁性体部（７１、７２、７３、７４）と前記外部部材（７５）とは、直接接触する部分が無いように位置決めされている、
請求項６から９のいずれか１項に記載の電磁誘導加熱ユニット（６）。
【請求項１１】
前記外部部材（７５）は、内側から外側に向かう方向が厚み方向である板状部材であって、前記厚み方向に貫通した開口（７５ｘ）を有している、
請求項１から１０のいずれか１項に記載の電磁誘導加熱ユニット（６）。
【請求項１２】
請求項１から１１のいずれか１項に記載の電磁誘導加熱ユニット（６）と、
前記冷媒配管（Ｆ）に冷媒を流す部分を含む冷凍サイクル（１０）と、
を備えた空気調和装置（１）。
【発明の詳細な説明】
【技術分野】
【０００１】
本発明は、電磁誘導加熱ユニットおよび空気調和装置に関する。
【背景技術】
【０００２】
冷凍サイクルには、冷媒の熱を放出させる放熱器や、冷媒に対して熱を与える加熱器等が備えられている。冷凍サイクルを循環する冷媒は、例えば、冷房運転サイクルにおいては室内の空気との間で熱交換を行って熱を得ており、暖房運転サイクルにおいては屋外の空気との間で熱交換を行って熱を得ている。
【０００３】
以下に示す特許文献１に記載の空気調和機の冷凍サイクルによると、上述のような室内の空気や屋外の空気から熱を得るだけでなく、別個に冷媒加熱装置によって冷媒が熱を得るシステムが提案されている。この冷媒加熱装置では、冷媒の流れる熱交換器をバーナで加熱させることにより、熱交換器内部を流れる冷媒に熱を与えている。このように、この空気調和機では冷媒加熱装置を採用しているため、冷媒が熱を必要とする場合において、室内や屋外の気温等の制約を受けることなく、冷媒を加熱することを可能にしている。
【特許文献１】特開平８−２１０７２０号公報
【発明の開示】
【発明が解決しようとする課題】
【０００４】
上述のような冷媒加熱装置として、バーナ等の火を用いる方式の加熱ではなく、電気的な方式として電磁誘導加熱方式を採用することもできる。例えば、磁性体材料を含む冷媒配管の周りに電磁誘導コイルを巻き、この電磁誘導加熱コイルに対して電流を流すことで生じた磁束に起因して冷媒配管を発熱させることができる。そして、この冷媒配管における発熱を用いて、冷媒を加熱することができる。
【０００５】
しかし、冷媒配管を電磁誘導によって加熱する場合に、冷媒配管以外の部分においても磁界が生じてしまう。
【０００６】
本発明は上述した点に鑑みてなされたものであり、本発明の課題は、冷媒配管を電磁誘導によって加熱する場合であっても周囲への磁界の漏れ出しを抑えることが可能な電磁誘導加熱ユニットおよび空気調和装置を提供することにある。
【課題を解決するための手段】
【０００７】
第１発明に係る電磁誘導加熱ユニットは、冷媒配管および／または冷媒配管中を流れる冷媒と熱的接触をする部材を加熱する電磁誘導加熱ユニットであって、コイルと、外部部材とを備えている。コイルは、冷媒配管の近傍に配置されている。外部部材は、コイルの冷媒配管側である内側とは反対側の外側に配置されており、磁性体を含んでいる。外部部材は、コイルの外側を８０％以上覆っている。ここで、「冷媒配管」には、内側表面を構成している部分、外側表面を構成している部分および内側表面と外側表面との間に位置している部分のいずれについても含まれるものとする。すなわち、電磁誘導によって渦電流が発生する部材が、冷媒配管の外表面を構成していてもよく、冷媒配管の内側表面を構成していてもよく、冷媒配管の外表面と内側表面との間に位置していてもよい。また、「冷媒配管中を流れる冷媒と熱的接触をする部材」には、例えば、配管内の冷媒通路上に配置されて冷媒に直接接触する部材や、冷媒配管の外側に配置されて冷媒配管を加熱する部材等が含まれる。また、「冷媒配管」および「冷媒配管中を流れる冷媒と熱的接触をする部材」は、少なくとも１部に磁性体を含有しているものもしくはその合金であることが好ましい。なお、消費電力に対する効率的な加熱を行う観点からは、磁性体は強磁性体であることが好ましい。また、ここでの磁性体を含んでいる外部部材としては、例えば、少なくとも樹脂よりも透磁率の高い材料を含んでいてもよい。
【０００８】
電磁誘導を生じさせるためにコイルに電流を流すと、コイルに対して冷媒配管側とは反対側の位置にも磁界が生じる。この場合において、仮に、電磁誘導加熱ユニットの周囲に磁性体材料が存在すると、意図しない発熱を生じさせてしまうおそれがある。
【０００９】
これに対して、この電磁誘導加熱ユニットでは、コイルに対して冷媒配管側とは反対側の位置に磁性体を含んだ外部部材を配置している。このため、冷媒配管以外の部分で生じる磁束は、この外部部材を通過しやすくなる。これにより、磁界の漏れ出しを低減させることが可能になる。
【００１０】
第２発明の電磁誘導加熱ユニットは、第１発明の電磁誘導加熱ユニットにおいて、コイルは、冷媒配管の少なくとも一部の回りを取り巻いている。
【００１１】
この電磁誘導加熱ユニットでは、コイルに電流を流すことで生じる磁束の一部を、冷媒配管が伸びている方向に沿わせることができる。このため、冷媒配管に含まれている磁性体の長手方向と冷媒配管の軸方向とが略同一である場合に、電磁誘導による加熱効率を向上させることができる。
【００１２】
第３発明の電磁誘導加熱ユニットは、第１発明または第２発明の電磁誘導加熱ユニットにおいて、外部部材は、人間の手がコイルに触れることを遮る形状を有している。なお、「人間の手がコイルに触れることを遮る形状」とは、例えば、コイルの径方向から見た場合に、外部部材に開口や隙間が設けられている場合であっても、当該開口や隙間が、例えば人間の一般的な指先の断面広さよりも狭い１ｃｍ2以下となるように形成されている場合等が含まれる。
【００１３】
この電磁誘導加熱ユニットでは、作業者等がコイルに接触してしまうおそれを低減させることができる。
【００１４】
第４発明の電磁誘導加熱ユニットは、第１発明から第３発明のいずれかの電磁誘導加熱ユニットにおいて、外部部材は、１つの部材によって構成されている。外部部材の外縁同士の接触部分が無いように位置決めされている。
【００１５】
この電磁誘導加熱ユニットでは、外部部材は、外縁同士の接触部分が無いように位置決めされているため、局所的な接触部分が存在しない。このため、電磁誘導のためにコイルに電流を流したとしても、磁束の集中が生じにくい。これにより、磁束の集中に起因する部分的な温度上昇を抑えることができる。
【００１６】
第５発明の電磁誘導加熱ユニットは、第１発明から第３発明のいずれかの電磁誘導加熱ユニットにおいて、外部部材は、第１外部部材と第２外部部材とを有している。第１外部部材および第２外部部材は、第１外部部材の外縁と第２外部部材の外縁との接触部分が無いように位置決めされている。
【００１７】
この電磁誘導加熱ユニットでは、第１外部部材および第２外部部材は、第１外部部材の外縁と第２外部部材の外縁との接触部分が無いように位置決めされているため、局所的な接触部分が存在しない。このため、電磁誘導のためにコイルに電流を流したとしても、磁束の集中が生じにくい。これにより、磁束の集中に起因する部分的な温度上昇を抑えることができる。
【００１８】
第６発明の電磁誘導加熱ユニットは、第１発明から第５発明のいずれかの電磁誘導加熱ユニットにおいて、少なくともコイルの外側であって外部部材の内側に配置された部分を有しており、磁性体を含んでいる磁性体部をさらに備えている。
【００１９】
この電磁誘導加熱ユニットでは、電磁誘導加熱のためにコイルに電流を流した際に周囲へ漏れだそうとする磁界は、外部部材内だけでなく磁性体部内にも通過させるように誘導される。これにより、磁界の漏れを効果的に抑えることが可能になる。
【００２０】
第７発明の電磁誘導加熱ユニットは、第６発明の電磁誘導加熱ユニットにおいて、磁性体部は、フェライトを含んでいる。
【００２１】
この電磁誘導加熱ユニットでは、電磁誘導加熱のためにコイルに電流を流した際に周囲へ漏れだそうとする磁界は、効率的にフェライトに誘導される。そして、フェライトは電気抵抗が小さいために、内部を電流が流れても発熱しにくい。これにより、外部への磁界の漏れを抑えつつ、周辺部材の発熱を抑えて機器の信頼性を向上させることができる。
【００２２】
第８発明の電磁誘導加熱ユニットは、第６発明または第７発明の電磁誘導加熱ユニットにおいて、冷媒配管の延びる方向に対して垂直な面上において冷媒配管を外側から見た場合に、磁性体部は、少なくとも、外部部材が存在していない位置に配置されている。
【００２３】
この電磁誘導加熱ユニットでは、電磁誘導加熱のためにコイルに電流を流した際に、外部部材の外縁同士の隙間から冷媒配管の外側の方向へ漏れだそうとする磁界は、磁性体部内に誘導される。これにより、冷媒配管の外側への磁界の漏れ出しを効果的に抑えることが可能になる。
【００２４】
第９発明の電磁誘導加熱ユニットは、第６発明から第８発明のいずれかの電磁誘導加熱ユニットにおいて、外部部材と、磁性体部とは、冷媒配管の延びる方向に対して垂直な面上において冷媒配管を外側から見た場合に、互いに重なる位置に配置されている部分を有している。
【００２５】
この電磁誘導加熱ユニットでは、電磁誘導加熱のためにコイルに電流を流した際に周囲へ漏れだそうとする磁界は、外部部材内だけでなく磁性体部内にも通過させるように誘導される。これにより、二重の磁界誘導部材によって効果的に抑えることが可能になる。
【００２６】
第１０発明の電磁誘導加熱ユニットは、第６発明から第９発明のいずれかの電磁誘導加熱ユニットにおいて、磁性体部と外部部材とは、直接接触する部分が無いように位置決めされている。
【００２７】
この電磁誘導加熱ユニットでは、磁性体部と外部部材とが接触しないように配置されているため、局所的な接触部分が存在しない。このため、電磁誘導のためにコイルに電流を流したとしても、磁束の集中が生じにくい。これにより、磁束の集中に起因する部分的な温度上昇を抑えることができる。
【００２８】
第１１発明の電磁誘導加熱ユニットは、第１発明から第１０発明のいずれかの電磁誘導加熱ユニットにおいて、外部部材は、内側から外側に向かう方向が厚み方向である板状部材であって、厚み方向に貫通した開口を有している。なお、この開口は、複数設けられていてもよい。
【００２９】
電磁誘導加熱によって冷媒配管が加熱され、例えば、コイルに対して熱が伝わってきた場合には、コイル自体の電気抵抗が増大してしまい、磁界の発生を効率的に行うことが妨げられるおそれがある。
【００３０】
これに対して、この電磁誘導加熱ユニットでは、外部部材に開口が設けられているため、この開口を介して熱を外側に放出することができる。これにより、コイル周辺での熱の滞留を抑えて磁界の発生効率の低下を抑えることが可能になる。
【００３１】
第１２発明の空気調和装置は、第１発明から第１１発明のいずれかの電磁誘導加熱ユニットと、冷媒配管に冷媒を流す部分を含む冷凍サイクルとを備えている。
【００３２】
この空気調和装置では、空気調和装置において電磁誘導加熱を行う場合であっても、磁界の漏れ出しを低減させることが可能になる。
【発明の効果】
【００３３】
第１発明の電磁誘導加熱ユニットでは、磁界の漏れ出しを低減させることが可能になる。
【００３４】
第２発明の電磁誘導加熱ユニットでは、冷媒配管に含まれている磁性体の長手方向と冷媒配管の軸方向とが略同一である場合に、電磁誘導による加熱効率を向上させることができる。
【００３５】
第３発明の電磁誘導加熱ユニットでは、作業者等がコイルに接触してしまうおそれを低減させることができる。
【００３６】
第４発明の電磁誘導加熱ユニットでは、磁束の集中に起因する部分的な温度上昇を抑えることができる。
【００３７】
第５発明の電磁誘導加熱ユニットでは、磁束の集中に起因する部分的な温度上昇を抑えることができる。
【００３８】
第６発明の電磁誘導加熱ユニットでは、磁界の漏れを効果的に抑えることが可能になる。
【００３９】
第７発明の電磁誘導加熱ユニットでは、外部への磁界の漏れを抑えつつ、周辺部材の発熱を抑えて機器の信頼性を向上させることができる。
【００４０】
第８発明の電磁誘導加熱ユニットでは、冷媒配管の外側への磁界の漏れ出しを効果的に抑えることが可能になる。
【００４１】
第９発明の電磁誘導加熱ユニットでは、二重の磁界誘導部材によって効果的に抑えることが可能になる。
【００４２】
第１０発明の電磁誘導加熱ユニットでは、磁束の集中に起因する部分的な温度上昇を抑えることができる。
【００４３】
第１１発明の電磁誘導加熱ユニットでは、コイル周辺での熱の滞留を抑えて磁界の発生効率の低下を抑えることが可能になる。
【００４４】
第１２発明の空気調和装置では、空気調和装置において電磁誘導加熱を行う場合であっても、磁界の漏れ出しを低減させることが可能になる。
【発明を実施するための最良の形態】
【００４５】
以下、図面を参照しつつ、本発明の一実施形態における電磁誘導加熱ユニット６およびこれを備えた空気調和装置１について、例に挙げて説明する。
【００４６】
＜１−１＞空気調和装置１
図１に、空気調和装置１の冷媒回路１０を示す冷媒回路図を示す。
【００４７】
空気調和装置１は、熱源側装置としての室外機２と、利用側装置としての室内機４とが冷媒配管によって接続されて、利用側装置が配置された空間の空気調和を行うものであって、圧縮機２１、四路切換弁２２、室外熱交換器２３、室外電動膨張弁２４、アキュームレータ２５、室外ファン２６、室内熱交換器４１、室内ファン４２、ホットガスバイパス弁２７、キャピラリーチューブ２８および電磁誘導加熱ユニット６等を備えている。
【００４８】
圧縮機２１、四路切換弁２２、室外熱交換器２３、室外電動膨張弁２４、アキュームレータ２５、室外ファン２６、ホットガスバイパス弁、キャピラリーチューブ２８および電磁誘導加熱ユニット６は、室外機２内に収容されている。室内熱交換器４１および室内ファン４２は、室内機４内に収容されている。
【００４９】
冷媒回路１０は、吐出管Ａ、室内側ガス管Ｂ、室内側液管Ｃ、室外側液管Ｄ、室外側ガス管Ｅ、アキューム管Ｆ、吸入管Ｇ、ホットガスバイパス回路Ｈ、分岐配管Ｋおよび合流配管Ｊを有している。室内側ガス管Ｂおよび室外側ガス管Ｅは、ガス状態の冷媒が多く通過するものではあるが、通過する冷媒をガス冷媒に限定しているものではない。室内側液管Ｃおよび室外側液管Ｄは、液状態の冷媒が多く通過するものではあるが、通過する冷媒を液冷媒に限定しているものではない。
【００５０】
吐出管Ａは、圧縮機２１と四路切換弁２２とを接続している。
【００５１】
室内側ガス管Ｂは、四路切換弁２２と室内熱交換器４１とを接続している。
【００５２】
室内側液管Ｃは、室内熱交換器４１と室外電動膨張弁２４とを接続している。
【００５３】
室外側液管Ｄは、室外電動膨張弁２４と室外熱交換器２３とを接続している。
【００５４】
室外側ガス管Ｅは、室外熱交換器２３と四路切換弁２２とを接続されている。
【００５５】
アキューム管Ｆは、四路切換弁２２とアキュームレータ２５とを接続しており、室外機２の設置状態で鉛直方向に伸びている。アキューム管Ｆの一部に対して、電磁誘導加熱ユニット６が取り付けられている。アキューム管Ｆのうち、少なくとも電磁誘導加熱ユニット６によって覆われている被加熱部分は、銅管Ｆ１の周囲をＳＵＳ（Stainless Used Steel：ステンレス鋼）管Ｆ２が覆って構成されている（図７参照）。冷媒回路１０を構成する配管のうちＳＵＳ管以外の部分は、銅管で構成されている。なお、上記銅管の周囲を覆う管の材質はＳＵＳに限定されるものではなく、例えば、鉄、銅、アルミ、クロム、ニッケル等の導体およびこれらの群から選ばれる少なくとも２種以上の金属を含有する合金等とすることができる。また、ＳＵＳとしては、例えば、フェライト系、マルテンサイト系、オーステナイト系の３種およびこれらの種類を組み合わせたものが例として挙げられる。また、ここでのアキューム管Ｆは、磁性体および磁性体を含有する材料を備えていなくてもよく、誘導加熱が行われる対象となる材質を含有するものであればよい。なお、磁性体材料は、例えば、アキューム管Ｆのすべてを構成していてもよいし、アキューム管Ｆの内側表面のみに形成されていてもよく、アキューム管Ｆ配管を構成する材料中に含有されることで存在していてもよい。このように電磁誘導加熱を行うことで、アキューム管Ｆを電磁誘導によって加熱させることができ、アキュームレータ２５を介して圧縮機２１に吸入される冷媒を暖めることができる。これにより、空気調和装置１の暖房能力を向上させることができる。また、例えば、暖房運転の起動時においては、圧縮機２１が十分に暖まっていない場合であっても、電磁誘導加熱ユニット６による迅速な加熱によって起動時の能力不足を補うことができる。さらに、四路切換弁２２を冷房運転用の状態に切り換えて、室外熱交換器２３等に付着した霜を除去するデフロスト運転を行う場合には、電磁誘導加熱ユニット６がアキューム管Ｆを迅速に加熱することで、圧縮機２１は迅速に暖められた冷媒を対象として圧縮することができる。このため、圧縮機２１から吐出するホットガスの温度を迅速に上げることができる。これにより、デフロスト運転によって霜を解凍させるのに必要とされる時間を短縮化させることができる。これにより、暖房運転中に適時デフロスト運転を行うことが必要となる場合であっても、できるだけ早く暖房運転に復帰させることができ、ユーザの快適性を向上させることができる。
【００５６】
吸入管Ｇは、アキュームレータ２５と圧縮機２１の吸入側とを接続している。
【００５７】
ホットガスバイパス回路Ｈは、吐出管Ａの途中に設けられた分岐点Ａ１と室外側液管Ｄの途中に設けられた分岐点Ｄ１とを接続している。ホットガスバイパス回路Ｈは、途中に冷媒の通過を許容する状態と許容しない状態とを切換可能なホットガスバイバス弁２７が配置されている。
【００５８】
分岐配管Ｋは、室外熱交換器２３の一部を構成しており、熱交換を行うための有効表面積を増大させるために、室外熱交換器２３のガス側出入口２３ｅから伸びる冷媒配管が後述する分岐合流点２３ｋで複数本に分岐した配管である。この分岐配管Ｋは、分岐合流点２３ｋから合流分岐点２３ｊまで伸びており、合流分岐点２３ｊで合流している。
【００５９】
合流配管Ｊは、室外熱交換器２３の一部を構成しており、合流分岐点２３ｊから室外熱交換器２３の液側出入口２３ｄまで伸びている配管である。合流配管Ｊは、冷房運転時に室外熱交換器２３から流れ出る冷媒の過冷却度を統一させることができるとともに、暖房運転時に室外熱交換器２３の下端近傍に着霜した氷を解凍させることができる。
【００６０】
四路切換弁２２は、冷房運転サイクルと暖房運転サイクルとを切換可能である。図１では、暖房運転を行う際の接続状態を実線で示し、冷房運転を行う際の接続状態を点線で示している。暖房運転時には、室内熱交換器４１が冷媒の冷却器として、室外熱交換器２３が冷媒の加熱器として機能する。冷房運転時には、室外熱交換器２３が冷媒の冷却器として、室内熱交換器４１が冷媒の加熱器として機能する。
【００６１】
室外熱交換器２３は、ガス側出入口２３ｅ、液側出入口２３ｄ、分岐合流点２３ｋ、合流分岐点２３ｊ、分岐配管Ｋ、合流配管Ｊおよび熱交フィン２３ｚを有している。ガス側出入口２３ｅは、室外熱交換器２３の室外側ガス管Ｅ側の端部に位置しており、室外側ガス管Ｅと接続される。液側出入口２３ｄは、室外熱交換器２３の室外側液管Ｄ側の端部に位置しており、室外側液管Ｄと接続される。分岐合流点２３ｋは、ガス側出入口２３ｅから伸びる配管を分岐させており、流れる冷媒の方向に応じて冷媒を分岐もしくは合流させることができる。分岐配管Ｋは、分岐合流点２３ｋにおける各分岐部分から複数本伸びている。合流分岐点２３ｊは、分岐配管Ｋを合流させており、流れる冷媒の方向に応じて冷媒を合流もしくは分岐させることができる。合流配管Ｊは、合流分岐点２３ｊから液側出入口２３ｄまで伸びている。熱交フィン２３ｚは、板状のアルミフィンが板厚方向に複数枚並んで、所定の間隔で配置されて構成されている。分岐配管Ｋおよび合流配管Ｊは、いずれも、熱交フィン２３ｚを共通の貫通対象としている。具体的には、分岐配管Ｋおよび合流配管Ｊは、共通の熱交フィン２３ｚの異なる部分で板圧方向に貫通して配置されている。
【００６２】
室外機２内に配置される機器を制御する室外制御部１２と、室内機４内に配置されている機器を制御する室内制御部１３とが、通信線１１ａによって接続されることで、制御部１１を構成している。この制御部１１は、空気調和装置１を対象とした種々の制御を行う。
【００６３】
＜１−２＞室外機２
図２に、室外機２の正面側の外観斜視図を示す。図３に、室外機２の背面側の外観斜視図を示す。図４に、室外熱交換器２３および室外ファン２６との位置関係についての斜視図を示す。図５に、室外熱交換器２３および底板２ｂとの位置関係についての斜視図を示す。
【００６４】
室外機２は、天板２ａ、底板２ｂ、フロントパネル２ｃ、左側面パネル２ｄ、右側面パネル２ｆおよび背面パネル２ｅによって構成される略直方体形状の室外機ケーシングによって外表面を構成している。
【００６５】
室外機２は、室外熱交換器２３および室外ファン２６等が配置されており左側面パネル２ｄ側である送風機室と、圧縮機２１や電磁誘導加熱ユニット６が配置されており右側面パネル２ｆ側である機械室と、に図示しない仕切り板を介して区切られている。なお、電磁誘導加熱ユニット６は、機械室のうちの左側面パネル２ｄおよび天板２ａの近傍である上方の位置に配置されている。ここで、上述した室外熱交換器２３の熱交フィン２３ｚは、略水平方向に板厚方向が向くようにしつつ、板厚方向に複数並んで配置されている。合流配管Ｊは、室外熱交換器２３の熱交フィン２３ｚのうち最も下の部分において、熱交フィン２３ｚを厚み方向に貫通することで配置されている。ホットガスバイパス回路Ｈは、室外ファン２６および室外熱交換器２３の下方を沿うように配置されている。
【００６６】
＜１−３＞電磁誘導加熱ユニット６
図６に、電磁誘導加熱ユニット６の概略斜視図を示す。図７に、電磁誘導加熱ユニット６の断面図を示す。図８に、電磁誘導加熱ユニット６から遮蔽カバー７５を取り除いた状態の外観斜視図を示す。
【００６７】
電磁誘導加熱ユニット６は、アキューム管Ｆのうち被加熱部分を径方向外側から覆うように配置されており、電磁誘導加熱によって被加熱部分を加熱する。このアキューム管Ｆの被加熱部分は、内側の銅管Ｆ１と外側のＳＵＳ管Ｆ２とを有する二重管構造となっている。なお、電磁誘導加熱ユニット６をアキューム管Ｆへ固定する前に、電磁誘導加熱ユニット６をアキューム管Ｆに対して位置決めさせるため、図１１に示すようなビィンディング９７が用いられる。これにより、電磁誘導加熱ユニット６のアキューム管Ｆに対する位置が定まったままで、後述する固定作業を行うことができ、作業性がよい。
【００６８】
電磁誘導加熱ユニット６は、第１六角ナット６１、第２六角ナット６６、Ｃ型リング６２、第１ボビン蓋６３、第２ボビン蓋６４、ボビン本体６５、第１フェライトケース７１、第２フェライトケース７２、第３フェライトケース７３、第４フェライトケース７４、第１フェライト９８、第２フェライト９９、コイル６８、遮蔽カバー７５、サーミスタ１４およびヒューズ１５を備えている。
【００６９】
第１六角ナット６１は、樹脂製であって、電磁誘導加熱ユニット６をアキューム管Ｆに対して上端近傍で固定する。第２六角ナット６６は、樹脂製であって、電磁誘導加熱ユニット６をアキューム管Ｆに対して下端近傍で固定する。
【００７０】
Ｃ型リング６２は、樹脂製であって、第１六角ナット６１および第１ボビン蓋６３と協同して、アキューム管Ｆに対して面接触して固定される。なお、図示しないが、第２六角ナット６６および第２ボビン蓋６４とも協同して、アキューム管Ｆに対して面接触して固定される。
【００７１】
第１ボビン蓋６３は、樹脂製であって、電磁誘導加熱ユニット６においてアキューム管Ｆとコイル６８との相対位置を決める部材の１つであり、電磁誘導加熱ユニット６の上方でアキューム管Ｆを周囲から覆う。第２ボビン蓋６４は、樹脂製であって、第１ボビン蓋６３と同一形状であって、電磁誘導加熱ユニット６の下方でアキューム管Ｆを周囲から覆う。図１３に、第１ボビン蓋６３の上面図を示す。図１４に、第１ボビン蓋６３の下面図を示す。第１ボビン蓋６３は、アキューム管Ｆを貫通させつつ、第１六角ナット６１およびＣ型リング６２と協同してアキューム管Ｆと電磁誘導加熱ユニット６とを固定させるための配管用筒状部６３ｃを有している。第１ボビン蓋６３は、コイル第１部分６８ｂおよびコイル第２部分６８ｃを通過させつつ保持するために、外周部分から内側に向けて形成された略Ｔ字形状のフック形状部６３ａを有している。第１ボビン蓋６３は、ボビン本体６５とＳＵＳ管Ｆ２との間に滞留している熱を外部に放出させるために上下方向に貫通した放熱開口６５ｂを複数有している。第１ボビン蓋６３は、第１〜第４フェライトケース７１〜７４をネジ６９を介して螺着させるための、ネジ６９用の螺着孔６３ｄを４つ有している。さらに、第１ボビン蓋６３は、ヒューズ差し込み開口６３ｅおよびサーミスタ差し込み開口６３ｆを有している。このヒューズ差し込み開口６３ｄは、図１６に示すヒューズ１５を取り付ける際の開口であって、ヒューズ１５の差し込み方向視における外縁形状に沿った形状の開口である。サーミスタ差し込み開口６３ｆは、図１５に示すサーミスタ１４を取り付ける際の開口であって、サーミスタ１４の差し込み方向視における外縁形状に沿った形状の開口である。なお、サーミスタ１４およびヒューズ１５は、電磁誘導加熱ユニット６の下方から取り付けられるため、第１ボビン蓋６３のサーミスタ差し込み開口６３ｆおよびヒューズ差し込み開口６３ｄは、放熱開口６３ｂと同様の放熱機能を発揮することになる。ここで、放熱しようとする暖かい空気はボビン本体６５内の上方の空間に溜まるため、上方の放熱開口を下方よりも多く設けておくことで効率的な放熱を行うことが可能となっている。そして、第２ボビン蓋６４のサーミスタ差し込み開口６３ｆにはサーミスタ１４が挿入され、第２ボビン蓋６４のヒューズ差し込み開口６３ｄにはヒューズ１５が挿入され、それぞれ取り付けられる。図１４に示すように、第１ボビン蓋６３の下面側には、ボビン本体６５の上端円筒部（後述する）の内側に位置することでボビン本体６５と嵌り合うボビン用筒上部６５ｇが下方に延びている。このボビン用筒上部６５ｇは、上述した放熱開口６３ｂ、螺着孔６３ｄ、ヒューズ差し込み開口６３ｅおよびサーミスタ差し込み開口６３ｆの貫通状態を閉ざすことないように、各開口の外縁に沿った部分から貫通方向に延びて形成されている。なお、第１ボビン蓋６３が有している開口や形状は、第２ボビン蓋６４についても同様であり、第１ボビン蓋６３における６３番台の各部材番号は第２ボビン蓋６４における６４番台の部材番号にそれぞれ対応させて示し、説明は省略する。
【００７２】
ボビン本体６５は、図９に示すように、コイル６８が巻き付けられる。ボビン本体６５は、図１０に示すように、円筒状の形状である円筒部６５ａを有している。ボビン本体６５は、上端からわずかに下がった部分で径方向に突出して形成される第１巻き止め部６５ｓと、下端からわずかに上がった部分で径方向に突出して形成される第２巻き止め部６５ｔと、を有している。第１巻き止め部６５ｓより上方には、上端円筒部６５ｘが延びている。第２巻き止め部６５ｔより下方には、下端円筒部６５ｙが延びている。第１巻き止め部６５ｓは、径方向外側にさらに突出した第１コイル保持部６５ｂを有している。この第１コイル保持部６５ｂは、コイル第１部分６８ｂを挟み込むために径方向内側に窪んで形成されたコイル保持溝６５ｃと、コイル第２部分６８ｃを挟み込むために径方向内側に窪んで形成されたコイル保持溝６５ｄと、を有している。第２巻き止め部６５ｔは、第１巻き止め部６５ｓと同様に、コイル保持溝６５ｆ、６５ｇが形成された第２コイル保持部６５ｅを有している。図１２の電磁誘導加熱ユニット６の下面図に示すように、ボビン本体６５に形成されているコイル保持溝６５ｆ、６５ｇは、アキューム管Ｆが延びる方向からみた場合に、第２ボビン蓋６４のフック形状部６４ａによって外側が覆われることで、コイル第１部分６８ｂおよびコイル第２部分６８ｃをより確実に保持することができている。また、コイル保持溝６５ｆ、６５ｇと、フック形状部６４ａとは、アキューム管Ｆが延びている方向にずれて配置されるため、コイル第１部分６８ｂおよびコイル第２部分６８ｃが延びている方向の複数箇所において保持することができるたえ、コイル６８に対して局所的な負荷が生じにくいようにすることができている。ボビン本体６５には、アキューム管Ｆ側の内側において、アキューム管Ｆとの間に空間が形成されており、コイル６８に電流が流れた際に生じる磁束がより効率的にアキューム管ＦのＳＵＳ管Ｆ２を通過するように距離をとっている。
【００７３】
第１フェライトケース７１は、第１ボビン蓋６３と第２ボビン蓋６４とをアキューム管Ｆの延びている方向から挟み込む。また、第１フェライトケース７１は、後述する第１フェライト９８および第２フェライト９９を収容する部分を有している。第２フェライトケース７２、第３フェライトケース７３、第４フェライトケース７４についても、第１フェライトケース７１と同様であって、これらは、ボビン本体６５、第１ボビン蓋６３および第２ボビン蓋６４を外側４方向から覆う位置に配置される。図６、図８および図１２に示すように、第１ボビン蓋６３は、第１〜第４フェライトケース７１〜７４それぞれと、金属製のネジ６９を介して螺着され、固定される。
【００７４】
第１フェライト９８は、透磁率の高い素材であるフェライトによって構成されており、コイル６８に電流を流した際に、ＳＵＳ管Ｆ２以外の部分にも生じる磁束を集めて磁束の通り道を形成する。この第１フェライト９８は、特に、電磁誘導加熱ユニット６の上端近傍および下端近傍の第１〜第４フェライトケース７１〜７４の収容部に収容される。第２フェライト９９についても、配置位置および形状以外は上記第１フェライト９８と同様であり、第１〜第４フェライトケース７１〜７４の収容部のうちボビン本体６５の外側近傍の位置に配置される。ここで、第１フェライト９８および第２フェライト９９が設けられていない場合には、例えば、図１７に示すように、周囲に磁束が漏れ出してしまうことになる。これに対して、本実施形態の電磁誘導加熱ユニット６では、コイル６８の外側に第１フェライト９８および第２フェライト９９が設けられているために、図１８に示すように磁束が流れ、漏れ磁束を低減させることができている。
【００７５】
コイル６８は、ボビン本体６５の外側においてアキューム管Ｆの延びる方向を軸方向として螺旋状に巻き付けられているコイル巻き付け部分６８ａ、コイル巻き付け部分６８ａに対してコイル６８の一端側に延びているコイル第１部分６８ｂと、コイル６８の一端側とは反対側である他端側に延びているコイル第２部分６８ｃと、を有している。このコイル６８は、第１〜第４フェライトケース７１〜７４の内側に位置している。コイル第１部分６８ｂおよびコイル第２部分６８ｃは、図１１に示すように、制御用プリント基板１８と接続されている。そして、コイル６８は、この制御用プリント基板１８から高周波電流の供給を受ける。制御用プリント基板１８は、制御部１１によって制御されている。高周波電流の供給を受けると、コイル巻き付け部分６８ａが磁束を生じさせる。具体的には、図１８において点線で示すように、ＳＵＳ管Ｆ２のコイル巻き付け部６８ａからの最寄り部分と、第１フェライト９８、第２フェライト９９および遮蔽カバー７５のコイル巻き付け部６８ａからの最寄り部分と、をアキューム管Ｆに対する径方向であってかつ軸方向に広がっている面上において略楕円形状となるように磁束が生じる。このようにして生じた磁束によって、ＳＵＳ管Ｆ２は、電磁誘導によって電流（渦電流）が生じる。ここでＳＵＳ管Ｆ２を電流が流れる際に電気抵抗となる部分で発熱が生じることになる。なお、ここでは、コイル６８の材料として、効率よく磁束を生じさせる観点から、良導体である銅線を用いている。なお、コイル６８の材料としては、電気を流せるものであれば特に限定されるものではない。
【００７６】
遮蔽カバー７５は、図６と図８を比較すると分かるように、電磁誘導加熱ユニット６の最外周部分に配置されており、第１フェライト９８および第２フェライト９９だけでは呼び込みきれない磁束を集める。図６に示すように、遮蔽カバー７５は、第１フェライトケース７１に対して、ネジ７０ａ、７０ｂ、７０ｃ、７０ｄを介して螺着されることで固定されている。これにより、電磁誘導加熱ユニット６においては、この遮蔽カバー７５の外側にはほとんど漏れ磁束が生じず、磁束の発生場所について自決することができている。
【００７７】
サーミスタ１４は、図１５に示すように、アキューム管Ｆの外表面に対して直接接触するように取り付けられ、サーミスタ検知部１４ａ、外側突起１４ｂ、側面突起１４ｃおよびサーミスタ配線１４ｄを有している。サーミスタ検知部１４ａは、アキューム管Ｆの外表面の湾曲形状に沿うような形状を有しており、実質的な接触面積を有している。外側突起１４ｂは、サーミスタ１４の取り付け状態において、アキューム管Ｆから離れる方向に突出した状態となる突起であって、第２ボビン蓋６４のサーミスタ差し込み開口６３ｆの縁に沿った形状となっている。側面突起１４ｃも、外側突起１４ｂと同様に第２ボビン蓋６４のサーミスタ差し込み開口６３ｆの縁に沿った形状となっており、外側突起１４ｂから離れる向きに延びている。サーミスタ配線１４ｄは、サーミスタ検知部１４ａの検知結果を信号にして制御部１１まで伝える。なお、サーミスタ１４は、図１５において上方に向けて挿入されるが、外側突起１４ｂおよび側面突起１４ｃを有しているため、サーミスタ差し込み開口６３ｆと同様に、挿入方向からみて非対称な形状となっている。このため、サーミスタ１４の取り付け作業において間違いが生じないようにすることができており、取り付け作業性が向上している。
【００７８】
ヒューズ１５は、図１６に示すように、アキューム管Ｆの外表面に対して直接接触するように取り付けられ、ヒューズ検知部１５ａ、非対称形状１５ｂおよびヒューズ配線１５ｄを有している。ヒューズ検知部１５ａは、アキューム管Ｆの外表面の湾曲形状に沿うように湾曲した窪み形状を有しており、実質的な接触面積を有している。非対称形状１５ｂは、上述したサーミスタ１４と同様に、図１６において上方に向けて挿入されるが、ヒューズ差し込み開口６３ｄと同様に、挿入方向からみて非対称な形状となっている。このため、ヒューズ１５の取り付け作業において間違いが生じないようにすることができており、取り付け作業性が向上している。
【００７９】
＜１−４＞第１フェライトケース７１
以下、フェライトケースの詳細を説明する。
【００８０】
図１９に、第１フェライト９８および第２フェライト９９が取り付けられた第１フェライトケース７１の概略斜視図を示す。なお、第１〜第４フェライトケース７１〜７４は、いずれも同様の形状を有している。
【００８１】
第１フェライトケース７１は、樹脂製であって、図８に示すように、第１ボビン蓋６３と第２ボビン蓋６４とをアキューム管Ｆの延びている方向から挟み込んで固定する機能と、第１フェライト９８および第２フェライト９９を収容して保持する機能を有している。
【００８２】
第１フェライトケース７１は、底面部７１ｊ、側面部７１ｈ、第１蓋螺着部７１ａ、第１蓋螺着孔７１ｂ、第２蓋螺着部７１ｆ、第２蓋螺着孔７１ｇ、遮蔽カバー螺着部７１ｃおよび遮蔽カバー螺着孔７１ｄを有している。
【００８３】
底面部７１ｊは、第１フェライトケース７１の底面を構成している。この底面部７１ｊには、後述するように、第１フェライト９８および第２フェライト９９が接着される。底面部７１ｊは、電磁誘導加熱ユニット６に固定された状態では、面が径方向を向く位置に設けられ、長手方向がアキューム管Ｆの伸びる方向に沿うように設けられる。この底面部７１ｊは、第１ボビン蓋６３および第２ボビン蓋６４の径方向の外縁のうち４つの対称的に設けられた略直線形状の辺のいずれかに取り付けられる。これにより、底面部７１ｊの背面側と、第１ボビン蓋６３および第２ボビン蓋６４のそれぞれの略直線形状の辺とが当接した状態で固定される。これにより、第１フェライトケース７１は、周方向への移動が規制された構造となっている。
【００８４】
側面部７１ｈは、底面部７１ｊの長手方向と直交する方向の両端それぞれから、底面部７１ｊから離れる方向に伸びている面を有している。
【００８５】
第１蓋螺着部７１ａは、第１フェライトケース７１と第１ボビン蓋６３とを螺着させるために設けられており、２つの側面部７１ｈに挟まれる径方向に広がる仮想空間からはずれた位置に設けられている。これにより、第１フェライト９８をＳＵＳ管Ｆ２の近傍まで配置させることができるようになっており、磁力の漏れを低減させることができている。
【００８６】
第２蓋螺着部７１ｆは、第１フェライトケース７１と第２ボビン蓋６４とを螺着させるために設けられており、２つの側面部７１ｈに挟まれる径方向に広がる仮想空間から、第１蓋螺着部７１ａとは反対側にはずれた位置に設けられている。これにより、第１フェライト９８をＳＵＳ管Ｆ２の近傍まで配置させることができるようになっており、磁力の漏れを低減させることができている。なお、第１蓋螺着部７１ａと第２蓋螺着部７１ｆとが、２つの側面部７１ｈに挟まれており径方向に広がる仮想空間に対して、一方側と、他方側とに配置されているため、単に磁力の漏れを低減させるだけでなく、第１フェライトケース７１と第１ボビン蓋６３および第２ボビン蓋６４との固定をより強固にしている。
【００８７】
第２蓋螺着孔７１ｇは、第１フェライトケース７１と第２ボビン蓋６４とを互いに螺着させて、固定させる。具体的には、上述の第１蓋螺着孔７１ｂと同様に、金属製のネジ６９によって、第１フェライトケース７１の第２蓋螺着孔７１ｇと、第２ボビン蓋６４のネジ６９用の螺着孔６４ｄ（図示せず）と、を合わせて螺着することで固定する。
【００８８】
遮蔽カバー螺着部７１ｃは、側面部７１ｈ同士が向き合っている内側とは反対側である外側に向けて膨出して形成されており、上方に２カ所、下方に２カ所設けられている。
【００８９】
遮蔽カバー螺着孔７１ｄは、各遮蔽カバー螺着部７１ｃに設けられている開口であり、図６に示すように、遮蔽カバー７５が取り付けられた状態で、ネジ７０ａ、７０ｂ、７０ｃ、７０ｄによってそれぞれ螺着される。これにより、第１フェライトケース７１と遮蔽カバー７５とが固定される。なお、この遮蔽カバー螺着部７１ｃおよび遮蔽カバー螺着孔７１ｄは、第２〜第４フェライトケース７２〜７４についても設けられているが、実際に遮蔽カバー７５が固定されるのはこれらのうちの１つであり、本実施形態では第１フェライトケース７１となっている。
【００９０】
＜１−５＞遮蔽カバー７５
以下、遮蔽カバー７５の詳細について説明する。
【００９１】
遮蔽カバー７５は、図２０の上面断面図において示すように、第１ボビン蓋６３および第２ボビン蓋６４に対して第１〜第４フェライトケース７１〜７４が取り付けられた際の平面視外縁形状に沿うように、略８角形状を有しており、磁性体材料を含んだ板金である。そのうち、一辺の中央近傍は、互いに接触することのないように、８角形の辺の一部が欠落した形状となっている。すなわち、上面視において、遮蔽カバー７５の外縁の一端を形成する第１端部７５ａと、遮蔽カバー７５の外縁の他端を形成する第２端部７５ｂとは、互いに接触しにくいように、離れるように形成されており、８角形のうちの第１端部７５ａと第２端部７５ｂとの合計の辺の長さは、他の辺の長さよりも短くなっている。なお、この第１端部７５ａと第２端部７５ｂとの最短距離は、４．０ｍｍ〜４．５ｍｍとなるように形成されている。
【００９２】
図２０の矢視Ａ方向から見た遮蔽カバー７５の側面図を、図２１に示す。図２０の矢視Ｂ方向から見た遮蔽カバー７５の側面図を、図２２に示す。
【００９３】
図２１および図６に示すように、遮蔽カバー７５は、板厚方向に貫通して複数形成される放熱開口７５ｘを有している。この放熱開口７５ｘは、外部からの作業者の指等がコイル６８に触れることができないように、１つ当たりの開口部分の面積が１ｃｍ2程度となるように形成されている。これにより、高周波電流が流れているコイル６８を作業者が触れてしまうことがないようにしている。このように、高周波電流を流すコイル６８の周囲を覆うように配置される遮蔽カバー７５に放熱開口７５ｘが形成されていることで、コイル６８周囲に滞留する熱を、放熱開口７５ｘを通じて径方向外側へ逃がしてやることができる。このため、コイル６８に高周波電流を流した際に、コイル６８の温度が上昇している場合には自身の電気抵抗が増大してしまい、ＳＵＳ管Ｆ２部分への磁界の発生効率を低下させてしまうおそれがあるが、このような放熱開口７５ｘによってコイル６８周辺の熱の滞留が抑えられている。これにより、コイル６８周辺での熱の滞留を抑えて、効率的な磁界の発生を促すことができるようになっている。なお、この放熱開口７５ｘは、上述した８角形の辺のうち、第１端部７５ａおよび第２端部７５ｂが位置している部分には、設けられていない。これは、この部分は、上述したように、互いに離れた部分が設けられているため、放熱を行うのに十分だからである。
【００９４】
また、図２２に示すように、遮蔽カバー７５は、第１端部７５ａが設けられている辺の長手方向上端近傍にネジ穴７５ｃ、長手方向下端近傍にネジ穴７５ｄがそれぞれ設けられている。遮蔽カバー７５は、第２端部７５ｂが設けられている辺の長手方向上端近傍にネジ穴７５ｅ、長手方向下端近傍にネジ穴７５ｆがそれぞれ設けられている。これらのネジ穴は、図６に示すように、第１フェライトケース７１に対して遮蔽カバー７５を固定させる場合に、ネジ７０ａ、７０ｂ、７０ｃ、７０ｄを通す穴としての機能を有している。
【００９５】
そして、遮蔽カバー７５のネジ穴７５ｃ、ネジ穴７５ｃ、ネジ穴７５ｅおよびネジ穴７５ｆは、それぞれ遮蔽カバー螺着孔７１ｄに対応する位置に位置合わせが行われ、それぞれネジ７０ａ、７０ｂ、７０ｃ、７０ｄによって螺着されることで、遮蔽カバー７５が取り付けられる。これにより、電磁誘導加熱ユニット６においては、磁性体を含んだ遮蔽カバー７５が第１フェライト９８および第２フェライト９９だけでは集めきれない磁束を集めることができるため、この遮蔽カバー７５の外側にはほとんど漏れ磁束が生じず、磁束の発生場所を自決させることができている。
【００９６】
この状態では、まず、第１フェライトケース７１の底面部７１ｊの背面側が、第１ボビン蓋６３および第２ボビン蓋６４のそれぞれの略直線形状の辺に当接した状態で固定されることで、周方向への移動が規制された構造となっている。また、第１フェライトケース７１と第１ボビン蓋６３および第２ボビン蓋６４とが互いに螺着されることで、固定がより強固になされている。そして、このように第１ボビン蓋６３および第２ボビン蓋６４に対して移動しないように強固に固定されている第１フェライトケース７１に対して、遮蔽カバー７５が螺着されることで強固に固定されている。
【００９７】
そして、遮蔽カバー７５は、第１端部７５ａはネジ穴７５ｃおよびネジ穴７５ｃによって、第２端部７５ｂはネジ穴７５ｄおよびネジ穴７５ｆによって、それぞれ位置決めされており、略固定端となっている。これにより、第１端部７５ａおよび第２端部７５ｂは、振動等が電磁誘導加熱ユニット６に生じたとしても、互いに接触することがないように配置されている。このように、遮蔽カバー７５の外縁に接触部分が無いため、遮蔽カバー７５の部分同士の局所的な接触部分も存在しない。このため、電磁誘導のためにコイルに電流を流したとしても、磁束の集中が生じにくく、磁束の集中に起因する部分的な温度上昇を抑えることができる。
【００９８】
また、第１フェライトケース７１は、樹脂によって形成されているため、遮蔽カバー７５が金属製のネジ７０ａ、７０ｂ、７０ｃ、７０ｄによって第１フェライトケース７１に螺着されることがあっても、第１フェライト９８および第２フェライト９９と、遮蔽カバー７５と、は直接接触しない。このため、第１フェライト９８および第２フェライト９９と遮蔽カバー７５とが接触しないような配置構造が採用されているため、当然、第１フェライト９８および第２フェライト９９と遮蔽カバー７５との局所的な接触部分が存在しない。このため、電磁誘導のためにコイル６８に電流を流したとしても、第１フェライト９８および第２フェライト９９と遮蔽カバー７５との接触部分が存在することに起因する磁束の集中が生じにくい。これにより、磁束の集中に起因する部分的な温度上昇を抑えることができている。
【００９９】
また、第１フェライト９８および第２フェライト９９は、コイル６８の近くに配置されている。そして、電磁誘導加熱のためにコイル６８に高周波電流を流した際に周囲へ漏れだそうとする磁界は、透磁率が高い第１フェライト９８および第２フェライト９９に効率的に誘導される。そして、フェライトは電気抵抗が小さいために、内部を電流が流れても発熱しにくい。これにより、外部への磁界の漏れを抑えるだけでなく、コイル６８周辺での熱の発生を小さくすることができ、機器の信頼性を向上させることができている。
【０１００】
また、上記電気抵抗の増大箇所が局所的に生じることを避けるために遮蔽カバー７５の隙間部分には、互いに接触しない位置に第１フェライトおよび第２フェライト９９が位置している。このため、遮蔽カバー７５の隙間部分から漏れだそうとする磁束が、第１フェライト９８および第２フェライト９９側に接触的に導かれる。これにより、電気抵抗の増大箇所が局所的に生じることを回避しつつ、磁束の漏れ出しを抑えることができている。
【０１０１】
また、遮蔽カバー７５の隙間部分以外の位置で遮蔽カバー７５によって径方向外側から覆われている第２〜第４フェライトケース７２〜７４のフェライトは、磁性体を含んだ遮蔽カバー７５と第２〜第４フェライトケース７２〜７４に収容された第１フェライト９８および第２フェライト９９とによって、磁束の漏れ出しを抑える二重構造を採用することができている。これにより、磁束の漏れ出しをより効率的におさえることができている。
【０１０２】
＜本実施形態の空気調和装置１の特徴＞
本実施形態の電磁誘導加熱ユニット６では、磁性体を含む遮蔽カバー７５がコイル６８を径方向外側から８０％以上覆っている。このため、ＳＵＳ管Ｆ２を電磁誘導加熱させるために、コイル６８に対して高周波電流を流し、磁束を生じさせた場合に、ＳＵＳ管Ｆ２以外の部分に生じる磁界を、遮蔽カバー７５と、遮蔽カバー７５の径方向内側に配置されている第１フェライト９８、第２フェライト９９とに集めることができる。これにより、遮蔽カバー７５の外側に漏れ出す磁束を小さく抑えることができる。
【０１０３】
これにより、室外機２内の電磁誘導加熱ユニット６が配置されている部分の近傍に、磁性体材料を含む他の部材や部品が配置されていたとしても、当該部材や部品に対して磁束が与える影響を小さく抑えることができる。
【０１０４】
また、遮蔽カバー７５は、樹脂製の第１フェライトケース７１に螺着されており、外縁が他の磁性体材料と接触することが無いように考慮された配置がなされている。また、遮蔽カバー７５自体についても、外縁同士の接触部分が生じないように考慮された配置固定がなされている。このため、製造時の寸法誤差や、設置時の誤差、電磁誘導加熱ユニット６の振動等が多少生じても、局所的な接触部分が生じない。これにより、局所的な接触部分に磁束が作用することで電気抵抗の高い局所接触部分に電流が流れ、予期しない発熱が生じてしまう、というおそれを低減させることができる。これにより、機器の信頼性を向上させることができている。
【０１０５】
＜他の実施形態＞
以上、本発明の実施形態について図面に基づいて説明したが、具体的な構成は、これらの実施形態に限られるものではなく、発明の要旨を逸脱しない範囲で変更可能である。
【０１０６】
（Ａ）
上記実施形態では、遮蔽カバー７５が１つの板金によって構成されている場合について例に挙げて説明した。
【０１０７】
しかし、本発明はこれに限られるものではない。
【０１０８】
図２３および図２４に示すように、例えば、第１遮蔽カバー１７６、第２遮蔽カバー１７７、第３遮蔽カバー１７８および第４遮蔽カバー１７９の４つの板金によって構成された遮蔽カバー１７５であってもよい。これらの遮蔽カバー１７６、１７７、１７８、１７９には、いずれも上記遮蔽カバー７５と同様に放熱開口１７５ｘが設けられている。
【０１０９】
そして、第１遮蔽カバー１７６の第１端部１７６ａおよび第２端部１７６ｂを有している。第２遮蔽カバー１７７の第１端部１７７ａおよび第２端部１７７ｂを有している。第３遮蔽カバー１７８の第１端部１７８ａおよび第２端部１７８ｂを有している。第４遮蔽カバー１７９の第１端部１７９ａおよび第２端部１７９ｂを有している。
【０１１０】
そして、第１遮蔽カバー１７６の第１端部１７６ａおよび第４遮蔽カバー１７９の第２端部１７９ｂは、第１フェライトケース７１の遮蔽カバー螺着部７１ｃと螺着されることで固定される。第１遮蔽カバー１７６の第２端部１７６ｂおよび第２遮蔽カバー１７７の第１端部１７７ａは、第２フェライトケース７２の遮蔽カバー螺着部７２ｃと螺着されることで固定される。第２遮蔽カバー１７７の第２端部１７７ｂおよび第３遮蔽カバー１７８の第１端部１７８ａは、第３フェライトケース７３の遮蔽カバー螺着部７３ｃと螺着されることで固定される。第３遮蔽カバー１７８の第２端部１７８ｂおよび第４遮蔽カバー１７９の第１端部１７９ａは、第４フェライトケース７４の遮蔽カバー螺着部７４ｃと螺着されることで固定される。
【０１１１】
このようにして、第１遮蔽カバー１７６、第２遮蔽カバー１７７、第３遮蔽カバー１７８および第４遮蔽カバー１７９は、それぞれの隣接する遮蔽カバーとの間で隙間を確保する構造が採用されている。このような遮蔽カバー１７５であっても、上記実施形態と同様の作用効果を奏することができる。
【０１１２】
（Ｂ）
上記実施形態では、冷媒回路１０のうち、アキューム管Ｆに対して電磁誘導加熱ユニット６が取り付けられる場合について説明した。
【０１１３】
しかし、本発明はこれに限られるものではない。
【０１１４】
例えば、アキューム管Ｆ以外の他の冷媒配管に設けられていてもよい。この場合には、電磁誘導加熱ユニット６を設ける冷媒配管部分にＳＵＳ管Ｆ２等の磁性体を設ける。
【０１１５】
（Ｃ）
上記実施形態では、アキューム管Ｆは、銅管Ｆ１とＳＵＳ管Ｆ２との二重管として構成されている場合を挙げて説明した。
【０１１６】
しかし、本発明はこれに限られるものではない。
【０１１７】
図２５に示すように、例えば、被加熱部材Ｆ２ａと、２つのストッパーＦ１ａと、がアキューム管Ｆや加熱対象となる冷媒配管の内部に配置されていてもよい。ここで、被加熱部材Ｆ２ａは、磁性体材料を含有しており、上記実施形態における電磁誘導加熱によって発熱を生じる部材である。ストッパーＦ１ａは、銅管Ｆ１の内側二カ所において、冷媒の通過を常時許容するが、被加熱部材Ｆ２ａの通過は許容しない。これにより、被加熱部材Ｆ２ａは、冷媒が流れても移動しない。このため、アキューム管Ｆ等の目的の加熱位置を加熱させることができる。さらに、発熱する被加熱部材Ｆ２ａと冷媒とが直接接触するため、熱伝達効率を向上させることができる。
【０１１８】
（Ｄ）
上記他の実施形態（Ｃ）で説明した被加熱部材Ｆ２ａは、ストッパーＦ１ａを用いることなく配管に対して位置が定まるようにしてもよい。
【０１１９】
図２６に示すように、例えば、銅管Ｆ１に二カ所で曲げ部分ＦＷを設け、当該二カ所の曲げ部分ＦＷの間の銅管Ｆ１の内側に被加熱部材Ｆ２ａを配置させてもよい。このようにしても、冷媒を通過させつつ、被加熱部材Ｆ２ａの移動を抑制させることができる。
【０１２０】
（Ｅ）
上記実施形態では、コイル６８がアキューム管Ｆに対して螺旋状に巻き付けられている場合について説明した。
【０１２１】
しかし、本発明はこれに限られるものではない。
【０１２２】
例えば、図２７に示すように、ボビン本体１６５に巻き付けられたコイル１６８が、アキューム管Ｆに巻き付くことなく、アキューム管Ｆの周囲に配置されていてもよい。ここでは、ボビン本体１６５は、軸方向がアキューム管Ｆの軸方向に対して略垂直となるように配置されている。また、ボビン本体１６５およびコイル１６８は、アキューム管Ｆを挟むように２つに別れて配置されている。
【０１２３】
この場合には、例えば、図２８に示すように、アキューム管Ｆを貫通させている第１ボビン蓋１６３および第２ボビン蓋１６４が、ボビン本体１６５に対して勘合した状態で配置されていてもよい。
【０１２４】
さらに、図２９に示すように、第１ボビン蓋１６３および第２ボビン蓋１６４が、第１フェライトケース１７１および第２フェライトケース１７２によって挟み込まれて固定されていてもよい。図２９では、２つのフェライトケースがアキューム管Ｆを挟み込むように配置されている場合を例にあげたが、上記実施形態と同様に、４方向に配置されていてもよい。また、上記実施形態とどうように、フェライトを収容させていてもよい。
【０１２５】
そして、遮蔽カバー７５は、このようにして固定された電磁誘導加熱ユニット６の最外周部分を覆うように設けられていてもよい。
【産業上の利用可能性】
【０１２６】
本発明を利用すれば、冷媒配管を電磁誘導によって加熱する場合であっても周囲への磁界の漏れ出しを抑えることが可能なため、電磁誘導を用いて冷媒を加熱させる電磁誘導加熱ユニットおよび空気調和装置において特に有用である。
【図面の簡単な説明】
【０１２７】
【図１】本発明の一実施形態にかかる空気調和装置の冷媒回路図である。
【図２】室外機の正面側を含む外観斜視図である。
【図３】室外機の内部配置構成斜視図である。
【図４】室外機の底板と室外熱交換器との位置関係等を示す斜視図である。
【図５】室外機の背面側を含む外観斜視図である。
【図６】電磁誘導加熱ユニットの外観斜視図である。
【図７】電磁誘導加熱ユニットの断面構成図である。
【図８】電磁誘導加熱ユニットから遮蔽カバーを取り除いた状態を示す外観斜視図である。
【図９】コイルが巻き付けられたボビン本体の外観斜視図である。
【図１０】ボビン本体の正面図である。
【図１１】電磁誘導加熱ユニットへの電力供給を示す概念図である。
【図１２】電磁誘導加熱ユニットの遮蔽カバーが取り外された状態での下面図である。
【図１３】第１ボビン蓋の外側に位置する部分を示す上面図である。
【図１４】第１ボビン蓋の内側に位置する部分を示す下面図である。
【図１５】サーミスタの外観斜視図である。
【図１６】ヒューズの外観斜視図である。
【図１７】遮蔽カバーが無い状態で生じる磁束の様子を示す図である。
【図１８】遮蔽カバーを設けた状態で生じる磁束の様子を示す図である。
【図１９】フェライトを備えた状態の第１フェライトケースの外観斜視図である。
【図２０】遮蔽カバーの上面断面図である。
【図２１】図２０の矢視Ａ方向から見た遮蔽カバーの側面図である。
【図２２】図２０の矢視Ｂ方向から見た遮蔽カバーの側面図である。
【図２３】他の実施形態（Ａ）の遮蔽カバーの上面図である。
【図２４】他の実施形態（Ａ）の遮蔽カバーを備える電磁誘導加熱ユニットの外観斜視図である。
【図２５】他の実施形態（Ｂ）の冷媒配管の説明図である。
【図２６】他の実施形態（Ｃ）の冷媒配管の説明図である。
【図２７】他の実施形態（Ｄ）のコイルと冷媒配管との配置例を示す図である。
【図２８】他の実施形態（Ｄ）のボビン蓋の配置例を示す図である。
【図２９】他の実施形態（Ｄ）のフェライトケースの配置例を示す図である。
【符号の説明】
【０１２８】
１  空気調和装置
６  電磁誘導加熱ユニット
１０  冷媒回路
２１    圧縮機
２２    四路切換弁
２３    室外熱交換器
２４    電動膨張弁
２５    アキュームレータ
４１    室内熱交換器
６１    第１六角ナット（位置決め部）
６２    Ｃ型リング（位置決め部）
６３    第１ボビン蓋（位置決め部）
６４    第２ボビン蓋
６５    ボビン本体
６６    第２六角ナット
６８    コイル
７１    第１フェライトケース
７２    第２フェライトケース
７３    第３フェライトケース
７４    第４フェライトケース
７５    遮蔽カバー
９８    第１フェライト
９９    第２フェライト
Ａ    吐出管、冷媒配管
Ｂ    室内側ガス管、冷媒配管
Ｃ    室内側液管
Ｄ    室外側液管
Ｅ    室外側ガス管、冷媒配管
Ｆ    アキューム管、冷媒配管
Ｇ    吸入管、冷媒配管
Ｈ    ホットガスバイパス回路
Ｊ    過冷却回路
【図１】
2010071532.tif 000003
【図２】
2010071532.tif 000004
【図３】
2010071532.tif 000005
【図４】
2010071532.tif 000006
【図５】
2010071532.tif 000007
【図６】
2010071532.tif 000008
【図７】
2010071532.tif 000009
【図８】
2010071532.tif 000010
【図９】
2010071532.tif 000011
【図１０】
2010071532.tif 000012
【図１１】
2010071532.tif 000013
【図１２】
2010071532.tif 000014
【図１３】
2010071532.tif 000015
【図１４】
2010071532.tif 000016
【図１５】
2010071532.tif 000017
【図１６】
2010071532.tif 000018
【図１７】
2010071532.tif 000019
【図１８】
2010071532.tif 000020
【図１９】
2010071532.tif 000021
【図２０】
2010071532.tif 000022
【図２１】
2010071532.tif 000023
【図２２】
2010071532.tif 000024
【図２３】
2010071532.tif 000025
【図２４】
2010071532.tif 000026
【図２５】
2010071532.tif 000027
【図２６】
2010071532.tif 000028
【図２７】
2010071532.tif 000029
【図２８】
2010071532.tif 000030
【図２９】
2010071532.tif 000031